(57)【要約】【課題】本考案は、電源の自動切換が可能なポータブル電子装置を提供する。【解決手段】本考案のポータブル電子装置は、ホスト回路、前記ホスト回路と接続する電源受信ポート、及び収納スペースが設けられたホストケースを備え、ホスト回路がホストケース内に設けられるとともに、電源受信ポートが収納スペースに設けられているホストと、ケース、ケースに設けられた電源出力ポート、及びケース内に設けられた電池、交流電力を直流電力に変換しホスト回路に電力を供給する電源変換回路、切換装置を含み、ケースが着脱可能にホストケースの収納スペースに設けられるとともに、ケースが収納スペースに取り付けられた状態において電源出力ポートが電源受信ポートと接続され、かつ切換装置が、電池と電源出力ポート又は電源変換回路と電源出力ポートの接続を選択的に切り換える電源供給モジュールと、を含んで構成される。 【選択図】図１
0003155914.tif 000002
【実用新案登録請求の範囲】
【請求項１】
ポータブル電子装置であって、
ホスト回路、前記ホスト回路と接続する電源受信ポート、及び収納スペースが設けられたホストケースを備え、前記ホスト回路が前記ホストケース内に設けられるとともに、前記電源受信ポートが前記収納スペースに設けられているホストと、
ケース、前記ケースに設けられた電源出力ポート、及び前記ケース内に設けられた電池、交流電力を直流電力に変換し前記ホスト回路に電力を供給する電源変換回路、切換装置を含み、前記ケースが着脱可能に前記ホストケースの前記収納スペースに設けられるとともに、前記ケースが前記収納スペースに取り付けられた状態において前記電源出力ポートが前記電源受信ポートと接続され、かつ前記切換装置が、前記電池と前記電源出力ポート又は前記電源変換回路と前記電源出力ポートの接続を選択的に切り換える電源供給モジュールと、
を含むことを特徴とするポータブル電子装置。
【請求項２】
前記切換装置に接続されるとともに、前記電源変換回路に入力する交流電力が有るか否かを検知することができる検知装置を含み、
前記検知装置は、前記電源変換回路に入力する交流電力が有ると検知した場合に、信号を前記切換装置に出力し、前記切換装置は、前記信号に基づいて前記電源変換回路と前記電源出力ポートとの接続をオンにし、前記電源変換回路に入力する交流電力が無いと検知した場合に、前記信号とは別の信号を前記切換装置に出力し、前記切換装置は、前記別の信号に基づいて前記電池と前記電源出力ポートとの接続をオンにすることを特徴とする請求項1に記載のポータブル電子装置。
【請求項３】
両端にそれぞれ電源出力アダプタと交流電源プラグが設けられた電源コードを含み、
前記電源コードの電源出力アダプタは、前記ケースの交流電力入力端に接続されて前記電源コードと前記電源変換回路を電気的に接続し、前記電源コードの交流電源プラグは、外部の交流電源に接続するとともに、
前記電源コードの電源出力アダプタが前記ケースの前記交流電力入力端に接続された場合に、前記切換装置は前記電源変換回路と前記電源出力ポートとの接続をオンにし、前記電源コードの電源出力アダプタと前記交流電力入力端との接続が解除された場合に、前記切換装置は前記電池と前記電源出力ポートとの接続をオンにすることを特徴とする請求項1に記載のポータブル電子装置。
【請求項４】
電源供給モジュールであって、
ケースと、
前記ケース内に設けられた電池と、
前記ケース内に設けられ、電源出力端と前記ケースに設けられる交流電力入力端とを備えた電源変換回路と、
前記ケースに設けられた電源出力ポートと、
前記ケース内に設けられ、且つその一端が電源出力ポートに接続され、他端が前記電池又は前記電源変換回路の電源出力端に接続されて、前記電池と前記電源出力ポート又は前記電源変換回路と前記電源出力ポートの接続を選択的に切り換える切換装置と、
両端にそれぞれ電源出力アダプタと交流電源プラグが設けられ、前記電源出力アダプタが前記ケースの交流電力入力端に接続され、前記電源コードの交流電源プラグが外部の交流電源に接続される電源コードと、を含み、
前記電源コードの電源出力アダプタが前記ケースの前記交流電力入力端に接続された場合に、前記切換装置は前記電源変換回路と前記電源出力ポートとの接続をオンにし、前記電源コードの電源出力アダプタと前記交流電力入力端との接続が解除された場合に、前記切換装置は前記電池と前記電源出力ポートとの接続をオンにすることを特徴とする電源供給モジュール。
【考案の詳細な説明】
【技術分野】
【０００１】
本考案は、電源の自動切換が可能なポータブル電子装置に関し、特に自動切換が可能で、電源変換回路や電池が給電する電源供給モジュールを実装したポータブル電子装置に関する。
【背景技術】
【０００２】
ノートパソコンのようなポータブル電子装置の作動に必要な電力は、内部電池からか、或いは外部の電源変換装置によって交流電力を変換したものに他ならない。然しながら、内部電池の電力には限りが有るのは争えない事実であり、また外部の電源変換装置は往々にしてポータブル電子装置の外に独立した１個の装置であり、携帯にはかなり不便である。
【０００３】
特許文献１は、従来のポータブルパソコンの交流／直流両用の電源供給装置を開示しており、外付けの変圧整流装置と電池セットを利用して、関連する回路設計を通じて、交流電源供給部と直流電源供給部とを一つに統合するものである。この特許文献１では、電源供給部を一体に設計して交流／直流両用としているが、依然としてポータブルパソコンの外部に独立した装置であり、相変わらず携帯に不便な問題が解決されていない。
【先行技術文献】
【特許文献】
【０００４】
【特許文献１】台湾実用新案公告第５９５７６８号明細書
【考案の概要】
【考案が解決しようとする課題】
【０００５】
本考案の主な目的は、電池と電源変換回路を着脱可能方式でポータブル電子装置に統合すると共に、電子又は機械で検知する方法と組合せて、電池を自動切換えして、或いは電源変換回路を通じて変換された交流電源がポータブル電子装置に給電される電源の自動切換が可能なポータブル電子装置を提供することである。
【課題を解決するための手段】
【０００６】
本考案の電源の自動切換が可能なポータブル電子装置は、ホストと電源供給モジュールを含む。前記ホストは、ホスト回路、前記ホスト回路と接続する電源受信ポート、及びホストケースを備える。前記ホストケースの側面には前記電源供給モジュールを収納する収納スペースが設けられている。前記ホスト回路は前記ホストケース内に設けるとともに、前記電源受信ポートは前記収納スペースの壁面に設けられている。前記電源供給モジュールは、ケース、前記ケースに設けられた電源出力ポート、及び前記ケース内に設けられた電池、電源変換回路、切換装置を含む。前記電源変換回路は交流電力を前記ホスト回路に適合するのに必要な直流電力に変換することができる。前記切換装置は前記電池又は前記電源変換回路を選択的に切り換えて前記電源出力ポートに接続することができる。前記電源供給モジュールが前記ケースによって前記ホストのホストケースの収納スペースに組み込まれると、前記電源出力ポートは前記収納スペースの壁面の前記電源受信ポートに接続される。このようにして、前記電源供給モジュールは前記電池又は前記電源変換回路が出力する電力を選択的に提供して前記ホストに給電することができる。
【０００７】
また、本考案のポータブル電子装置はさらに電源コードを含むことができる。前記電源コードは前記ケースの交流電力入力端に接続される電源出力アダプタを有しており、前記電源コードと前記電源変換回路とを電気的に接続させる。特に、前記電源コードの電源出力アダプタが前記ケースの前記交流電力入力端に接続されると、前記切換装置は機械的なの伝動により前記電源変換回路と前記電源出力ポートとの接続をオンに切換え、また、前記電源コードの電源出力アダプタが前記交流電力入力端から抜かれると、前記切換装置は機械の伝動機構により前記電池と前記電源出力ポートとの接続をオンに切換える。このようして、前記電源供給モジュールは前記電池や前記電源変換回路を自動的に切換えて前記ホストに給電することができる。換言すると、ユーザーは電源コードを差込さえすれば、前記ポータブル電子装置は前記電源変換回路が出力する電力を自動的に選択できるのである。これと逆に、一旦コードを抜くと、前記電池は自発的に給電する。
【０００８】
また、本考案のポータブル電子装置はさらに検知回路（検知装置）を含むことができ、電子的な検知によって機械的な伝動を利用した方式に代え、前記電池及び前記電源変換回路からの電力を自動的に切換えて前記ホストに給電することができる。具体的には、前記検知装置は、前記切換装置に接続され、前記電源変換回路に入力する交流電力が有るか否かを検知することができる。前記電源変換回路に入力する交流電力が有ると検知すると、前記検知装置は前記切換装置に信号を出力して前記切換装置は前記電源変換回路と前記電源出力ポートとの接続をオンに切換える。また、前記電源変換回路に入力する交流電力が無いと検知すると、前記検知装置は前記信号とは別の信号を前記切換装置に出力して前記切換装置は前記電池と前記電源出力ポートとの接続をオンに切換える。このようにして、交流電源に接続しさえすれば、前記ポータブル電子装置は前記電源変換回路が出力する電力を自動的に選択するので、使用者が意識することなく、適切な電力供給源からの電力によってポータブル電子装置を使用することができる。
【考案の効果】
【０００９】
本考案によれば、電源供給モジュールが電池又は電源変換回路が出力する電力を選択的に切り換えてホストに給電することができる電源の自動切換が可能なポータブル電子装置を提供することが可能となる。
【図面の簡単な説明】
【００１０】
【図１】本考案の実施例１におけるポータブル電子装置の斜視図である。
【図２】本考案の実施例１におけるポータブル電子装置の分解斜視図である。
【図３】本考案の実施例１におけるポータブル電源装置の回路ブロック図である。
【図４】本考案の実施例２におけるポータブル電子装置の回路ブロック図である。
【考案を実施するための形態】
【００１１】
（実施例１）
図１は、本考案の実施例１におけるポータブル電子装置を示す図であり、本実施例のポータブル電子装置１００は、ホスト（本体）１、電源供給モジュール２、及び電源コード３を含んで構成される。
【００１２】
図２及び図３に示すように、ホスト１は、ポータブル電子装置の本体であり、ホストケース１１、電源受信ポート１３、及びホストケース１１内に設けたホスト回路（本体回路）１０を備える。ホストケース１１には、電源供給モジュール２を収納する収納スペース１２が設けられ、当該収納スペース１２は、ホストケース１１の側面に対して凹状に、かつ電源供給モジュール２の形状に適合する大きさに形成されている。つまり、電源供給モジュール２は、図１及び図２に示すように、ホストケース１１に収納された状態において、ホストケース１１の外形（矩形状の外観）と一体となるように当該ホストケース１１に収納される。電源受信ポート１３は、電源供給モジュール２の電源出力ポート２１が設けられた側面に対応する収納スペース１２の壁面に設けられ、かつホスト回路１０とも接続している。
【００１３】
また、本実施例の電源供給モジュール２は、ケース２０、ケース２０に設けられた電源出力ポート２１及びケース２０内に設けられた電池８、電源変換回路４、切換装置５を含む。ケース２０は、着脱可能にホスト１のホストケー１１における収納スペース１２に装着される。電源変換回路４は、交流電力を直流電力に変換してホスト回路１０に必要な直流電力に供給する。電源供給モジュール２は、ホストケース１１に設けられた電源受信ポート１３に接続する電源出力ポート２１と、電源コード３の電源出力アダプタ３２に接続される交流電力入力端２５とを有する。切換装置５は、電源出力ポート２１、電池８、及び電源変換回路４が接続されるとともに、電源出力ポート２１と電池８、又は電源出力ポート２１と電源変換回路４を選択的に接続するスイッチであり、電池８又は電源変換回路４から出力される電力を選択的に電源出力ポート２１に出力する。つまり、切換装置５は、その一端が電源出力ポート２１に接続され、且つ他端が電池８又は電源変換回路４の電源出力端に選択的に接続され、電池８又は電源変換回路４との接続を選択的に切換えて電源出力ポート２１に接続することができる。
【００１４】
また、電源コード３は、その両端に、交流電源プラグ３１と電源出力アダプタ３２とが設けられている。電源コード３の交流電源プラグ３１は、室内の交流電源プラグのように交流電源７に外部接続する。電源コード３の電源出力アダプタ３２は、ケース２０の交流電力入力端２５に接続され、電源コード３と電源変換回路４を電気的に接続する。
【００１５】
ここで、本実施例の電源自動切換方法について具体的に述べると、電源コード３の電源出力アダプタ３２が電源供給モジュール２の交流電力入力端２５に接続されると、電源出力アダプタ３２は、交流電力入力端２５内の連動装置（図示せず）に接触する。そして、連動装置が機械連動方式で切換装置５を駆動して電源出力ポート２１が電池８に接続された位置から電源変換回路４に接続される位置に切換え、切換装置５は電源出力ポート２１と電源変換回路４との接続をオンにする。また、これとは逆に、電源コード３の電源出力アダプタ３２が交流電力入力端２５から抜かれる場合、すなわち、電源コード３の電源出力アダプタ３２と交流電力入力端２５との接続が解除された場合、切換装置５は電池８と電源出力ポート２１との接続をオンにする。
【００１６】
このように本実施例のポータブル電子装置１００は、電源供給モジュール２全体が一旦ホスト１のホストケー１１の収納スペース１２に取り付けられると、電源供給モジュール２の電源出力ポート２１が収納スペース１２の壁面の電源受信ポート１３に接続される。電源受信ポート１３は、ホストのホスト回路１０に接続されているので、電源供給モジュール２は随時電力をホスト回路１０に送電することができる。このとき、電源コード３の電源出力アダプタ３２が電源供給モジュール２の交流電力入力端２５に接続されている場合、切換装置５は、電池８と電源出力ポート２１との接続を自動的に切換え、電源変換回路４と電源出力ポート２１との接続をオンにし、電源変換回路４で変換された直流用電力をホスト１のホスト回路１０に送電する。
【００１７】
一方、電源コード３が電源供給モジュール２の交流電力入力端２５から抜かれると、切換装置５は、電源変換回路４と電源出力ポート２１との接続を自動的に切換え、電源出力ポート２１と電池８との接続をオンにし、電池８がホスト回路１０に給電するよう切り換わる。本実施例では、電源コードとの機械的な接続を通じて切換装置５を動作させ、自動的に使用可能な交流電力があるか否かを判別して電池８又は電源変換回路４とを切換えて給電することができる。
【００１８】
（実施例２）
図４は、本考案の第２実施例である。図４に示すように、本実施例の各部分の構成は、上述の実施例１に示した図１〜図３と同様であるが、本実施例では、上述の実施例１における機械伝動方式の自動切換に変えて、電源変換回路４に入力する交流電力が有るか否かを決定する検知装置６を備え、検知装置６によって切換装置５による自動切換を制御する。
【００１９】
本実施例の電源供給モジュール２の検知装置６は、切換装置５に接続されるとともに、電源変換回路４と交流電力７が入力される交流電力入力端２５との間の送電線又は交流電力入力端２５に接続され、電源変換回路４に入力される交流電力７が有るか否かを検知する。検知装置６が、電源変換回路４に入力する交流電力が有ると検知すると、当該検知装置６は、切換信号を切換装置５に出力して当該切換装置５が、切換信号に基づいて電源変換回路４と電源出力ポート２１との接続をオンにする。また、電源変換回路４に入力する交流電力が無いと検知すると、検知装置６は、別の信号、すなわち、電池８と電源出力ポート２１との接続をオンに切換える信号を切換装置５に出力し、切換装置５が電池８と電源出力ポート２１との接続をオンに切換える。
【００２０】
換言すると、電源コード３の両端がそれぞれ交流電源７と電源供給モジュール２の交流電力入力端２５に接続すると、検知装置６は、電源変換回路４に入力する交流電力が有ると検知することから、電源変換回路４と電源出力ポート２１とを接続する信号を切換装置５に出力し、切換装置５が、電源変換回路４と電源出力ポート２１との接続をオンにする。これと逆に、電源コード３が交流電源７や交流電力入力端２５から抜かれると、検知装置６は電源変換回路４に入力する交流電力が無いと検知することから、電池８と電源出力ポート２１とを接続する別の信号を切換装置５に出力し、切換装置５が電池８と電源出力ポート２１との接続をオンに切換える。なお、本実施例のその他の構成、例えば、ホスト１、電源供給モジュール２、電源コード３等の構造及び機能については上述の実施例１と同様であり、その説明は省略する。
【００２１】
上述のように、本考案のポータブル電子装置は、着脱可能な電源供給モジュールを統合し、電源供給モジュールが本体の矩形状の外観と一体に収納されて見た目に美しいだけでなく携帯にも便利である。また、電源供給モジュールは、電子的に又は機械伝動の方法で適切な電力供給源を自動的に検知して切換えることから、使用者が意識することなく、適切な電力供給源からの電力によってポータブル電子装置を使用することができる。
【００２２】
以上、本考案の詳細な説明では具体的な実施例について説明したが、本考案の要旨から逸脱しない範囲内で多様に変形できる。よって、本考案の技術的範囲は、上述の実施例に限定されるものではなく、実用新案登録請求の範囲の記載及びこれと均等なものに基づいて定められるべきである。
【符号の説明】
【００２３】
１    ホスト
１０  ホスト回路
１１  ホストケース
１２  収納スペース
１３  電源受信ポート
２    電源供給モジュール
２０  ケース
２１  電源出力ポート
２５  交流電力入力端
３    電源コード
３１  交流電源プラグ
３２  電源出力アダプタ
４    電源変換回路
５    切換装置
６    検知装置
７    交流電源
８    電池
【図１】
0003155914.tif 000003
【図２】
0003155914.tif 000004
【図３】
0003155914.tif 000005
【図４】
0003155914.tif 000006
【手続補正書】
【提出日】平成21年10月1日(2009.10.1)
【手続補正１】
【補正対象書類名】実用新案登録請求の範囲
【補正対象項目名】全文
【補正方法】変更
【補正の内容】
【実用新案登録請求の範囲】
【請求項１】
ポータブル電子装置であって、
ホスト回路、前記ホスト回路と接続する電源受信ポート、及び収納スペースが設けられたホストケースを備え、前記ホスト回路が前記ホストケース内に設けられるとともに、前記電源受信ポートが前記収納スペースに設けられているホストと、
ケース、前記ケースに設けられた電源出力ポート、及び前記ケース内に設けられた電池、交流電力を直流電力に変換し前記ホスト回路に電力を供給する電源変換回路、切換装置を含み、前記ケースが着脱可能に前記ホストケースの前記収納スペースに設けられるとともに、前記ケースが前記収納スペースに取り付けられた状態において前記電源出力ポートが前記電源受信ポートと接続され、かつ前記切換装置が、前記電池と前記電源出力ポート又は前記電源変換回路と前記電源出力ポートの接続を選択的に切り換える電源供給モジュールと、
を含むことを特徴とするポータブル電子装置。
【請求項２】
前記切換装置に接続されるとともに、前記電源変換回路に入力する交流電力が有るか否かを検知することができる検知装置を含み、
前記検知装置は、前記電源変換回路に入力する交流電力が有ると検知した場合に、信号を前記切換装置に出力し、前記切換装置は、前記信号に基づいて前記電源変換回路と前記電源出力ポートとの接続をオンにし、前記電源変換回路に入力する交流電力が無いと検知した場合に、前記信号とは別の信号を前記切換装置に出力し、前記切換装置は、前記別の信号に基づいて前記電池と前記電源出力ポートとの接続をオンにすることを特徴とする請求項１に記載のポータブル電子装置。
【請求項３】
両端にそれぞれ電源出力アダプタと交流電源プラグが設けられた電源コードを含み、
前記電源コードの電源出力アダプタは、前記ケースの交流電力入力端に接続されて前記電源コードと前記電源変換回路を電気的に接続し、前記電源コードの交流電源プラグは、外部の交流電源に接続するとともに、
前記電源コードの電源出力アダプタが前記ケースの前記交流電力入力端に接続された場合に、前記切換装置は前記電源変換回路と前記電源出力ポートとの接続をオンにし、前記電源コードの電源出力アダプタと前記交流電力入力端との接続が解除された場合に、前記切換装置は前記電池と前記電源出力ポートとの接続をオンにすることを特徴とする請求項１に記載のポータブル電子装置。
【請求項４】
電源供給モジュールであって、
ケースと、
前記ケース内に設けられた電池と、
前記ケース内に設けられ、電源出力端と前記ケースに設けられる交流電力入力端とを備えた電源変換回路と、
前記ケースに設けられた電源出力ポートと、
前記ケース内に設けられ、且つその一端が電源出力ポートに接続され、他端が前記電池又は前記電源変換回路の電源出力端に接続されて、前記電池と前記電源出力ポート又は前記電源変換回路と前記電源出力ポートの接続を選択的に切り換える切換装置と、
両端にそれぞれ電源出力アダプタと交流電源プラグが設けられ、前記電源出力アダプタが前記ケースの交流電力入力端に接続され、前記交流電源プラグが外部の交流電源に接続される電源コードと、を含み、
前記電源コードの電源出力アダプタが前記ケースの前記交流電力入力端に接続された場合に、前記切換装置は前記電源変換回路と前記電源出力ポートとの接続をオンにし、前記電源コードの電源出力アダプタと前記交流電力入力端との接続が解除された場合に、前記切換装置は前記電池と前記電源出力ポートとの接続をオンにすることを特徴とする電源供給モジュール。